(57)【特許請求の範囲】
【請求項１】
複数の生体情報を入力して表示するとともに、アンギオ装置で撮像するシネ画像を入力して表示するポリグラフと、
前記アンギオ装置への前記シネ画像の記録指示と連動して、前記ポリグラフに前記アンギオ装置のシネ画像の記録指示を行う連動指示装置と、
を有し、
前記ポリグラフは、前記記録指示を受けて、記録指示されたシネ画像を記録する記録制御部を有する、
カテーテル検査システム。
【請求項２】
前記連動指示装置は、前記アンギオ装置への前記シネ画像の記録指示の操作を感知して、前記ポリグラフに、前記アンギオ装置からのシネ画像の記録を指示する、
請求項１に記載のカテーテル検査システム。
【請求項３】
前記連動指示装置は、前記アンギオ装置へ前記記録指示を行うフットスイッチの操作に連動して、前記ポリグラフに記録指示を行う、
請求項２に記載のカテーテル検査システム。
【請求項４】
前記記録指示は、前記アンギオ装置への記録指示と同じ制御信号である、
請求項１から請求項３のいずれか一項に記載のカテーテル検査システム。
【請求項５】
アンギオ装置と、当該アンギオ装置へ前記アンギオ装置で撮像するシネ画像の記録指示を行う指示装置とともに用いられ、前記アンギオ装置で撮像される被検者の複数の生体情報を入力して表示するとともに、前記アンギオ装置で撮像するシネ画像を入力して表示するポリグラフであって、
前記指示装置の前記アンギオ装置への前記記録指示と連動して、前記指示装置からのアンギオ装置のシネ画像の記録指示を受けて、前記記録指示されたシネ画像を記録する記録制御部を有する、
ポリグラフ。
【発明の詳細な説明】
【技術分野】
【０００１】
本発明は、心電図を含む複数の生体情報を入力して表示するとともに、血管造影撮影装置（Angiography system：アンギオ装置）によりＸ線撮影されたシネ画像を表示するポリグラフを備える電気生理学的検査システム等のカテーテル検査システムに関する。
【背景技術】
【０００２】
近年増加傾向にある狭心症、心筋梗塞、不整脈等の心臓病の検査として、最も確定的な診断をつけることができる心臓カテーテル検査が知られている。心臓カテーテル検査は、柔らかい細い管（カテーテル）を経皮的に心血管に挿入し、造影剤による形態学的異常を検出したり、心臓内腔の圧力、酸素飽和度を測定し血行動態を把握したりする。
【０００３】
この心臓カテーテル検査は、一般的に、ポリグラフと、アンギオ装置とを用いて行われる。ポリグラフは、心臓内に挿入される電極カテーテルを介して、生体情報（心内心電図等）をモニタに波形表示し、表示された生体情報に基づいて、心臓内部のいろいろな部位の電気活動を把握する。なお、これらの電気活動を、ポリグラフは、安静状態で記録しつつ、心臓を電気的に刺激した状態における電気活動も記録する。
【０００４】
アンギオ装置は、カテーテルを用いて造影剤を直接血管に注入し、撮像したＸ線透視像、血管造影像をみながら、心臓の血管（冠動脈）の状態を見たり、心臓の動きを観察できる。心臓カテーテル検査において、ポリグラフを用いて心臓内部の各部位の電気活動を観察する際には、アンギオ装置は、被検者の検査部位をＸ線撮像して、シネ画像として表示する。なお、シネ画像は、動画のように見える多数の連続画像としたものであり、時系列画像とも称する。
【０００５】
アンギオ装置で撮像するシネ画像は、アンギオ装置がポリグラフとともに使用される場合、アンギオ装置のモニタに表示されるとともに、ポリグラフに送られる。ポリグラフでは、アンギオ装置から送られるシネ画像を、被検者の呼吸、心内心電図等の生体情報とともにモニタに表示して双方を観察できるようになっている。
【０００６】
アンギオ装置におけるシネ画像の撮影及びシネ画像の記録は、例えば、特許文献１に示すように、アンギオ装置を用いて、被検者の傍で被検者の検査を行うアンギオ装置側の操作者（具体的には術者）によりフットスイッチをオンオフすることによって行われる。
【０００７】
これに対して、ポリグラフにおけるシネ画像の記録は、ポリグラフ側の操作者が、ポリグラフ側に設けられる記録ボタン、例えば、ポリグラフのモニタ画面上に配置されたボタンを押下することで、モニタに表示するシネ画像の記録を行っている。
【先行技術文献】
【特許文献】
【０００８】
【特許文献１】特開２００４−０８１５６９号公報
【発明の概要】
【発明が解決しようとする課題】
【０００９】
このように従来のカテーテル検査では、アンギオ装置で撮像したシネ画像を記録する場合、アンギオ装置側では、フットスイッチを介した術者の判断により記録されるものの、ポリグラフ側では、術者により記録必要と判断されたシネ画像は判らない。したがって、心臓カテーテル検査において、ポリグラフが、アンギオ装置で記録したシネ画像と同様のシネ画像を記録するには、ポリグラフ側の操作者が、術者が操作するフットスイッチの操作タイミングに合わせて、ポリグラフ側の記録ボタンを押下する必要がある。このため、記録ボタンの押下タイミングのずれや記録の取りこぼし等が発生し、ポリグラフ側において、術者が必要なシネ画像と同様のシネ画像の記録は困難となっている。
【００１０】
本発明は、アンギオ装置で撮像されるシネ画像を表示するポリグラフにおいて、アンギオ装置で記録したシネ画像と同じシネ画像を容易に記録できるカテーテル検査システムを提供する。
【課題を解決するための手段】
【００１１】
本発明のカテーテル検査システムの一つの態様は、
複数の生体情報を入力して表示するとともに、アンギオ装置で撮像するシネ画像を入力して表示するポリグラフと、
前記アンギオ装置への前記シネ画像の記録指示と連動して、前記ポリグラフに前記アンギオ装置のシネ画像の記録指示を行う連動指示装置と、
を有し、
前記ポリグラフは、前記記録指示を受けて、記録指示されたシネ画像を記録する記録制御部を有する。
本発明のポリグラフの一つの態様は、上記構成のカテーテル検査システムが備えるポリグラフである。
【発明の効果】
【００１２】
本発明によれば、アンギオ装置へのシネ画像の記録指示に連動して、ポリグラフへのシネ画像の記録指示を行えることにより、ポリグラフ側で、シネ画像の記録開始操作を行う必要がなく、その結果、アンギオ装置で撮像され、且つ、アンギオ装置から入力されるシネ画像を表示するポリグラフにおいて、アンギオ装置で記録したシネ画像中の画像と同じ画像を容易に記録できる。
【図面の簡単な説明】
【００１３】
【図１】実施の形態に係るカテーテル検査システムの全体構成を示す概略図
【図２】電極カテーテルの説明に供する図
【図３】実施の形態のカテーテル検査システムにおける要部構成を示すブロック図
【図４】実施の形態のカテーテル検査システムにおけるフットスイッチの概略構成を示す模式図
【図５】実施の形態のカテーテル検査システムにおけるフットスイッチの変形例の概略構成を示す模式図
【発明を実施するための形態】
【００１４】
以下、本発明の実施の形態について、図面を参照して詳細に説明する。
【００１５】
＜カテーテル検査システムの全体構成＞
図１は、本実施の形態によるカテーテル検査システム１０の全体構成を示す概略図である。カテーテル検査システム１０は、ここでは、カテーテルを用いて行う検査システムであり、ここでは、カテーテル検査システム１０を電気生理学的検査システムとして説明する。カテーテル検査システム１０は、ポリグラフ１００と、電気刺激装置７００と、アンギオ装置９００と、操作感知部９６０（図３、図４参照）が取り付けられた画像記録指示装置であるフットスイッチ９５０とを有する。
【００１６】
ポリグラフ１００は、入力装置１１と、表示部（ディスプレイ）２０と、記録装置３０と、本体ユニット４０と、インターフェースユニット５０と、ＥＰＳ（Electrophysiological Study：電気生理学的検査）ユニット６０と、中継ボックス７０、７１と、中継ボックス７０、７１に接続される電極カテーテル８０（図２）と、を有する。
【００１７】
本体ユニット４０とインターフェースユニット５０はケーブルＬ１によって接続されており、インターフェースユニット５０とＥＰＳユニット６０はケーブルＬ２によって接続されている。なお、図では、インターフェースユニット５０を介して本体ユニット４０とＥＰＳユニット６０を接続した例を示しているが、本体ユニット４０とＥＰＳユニット６０をケーブルＬ２によって直接接続してもよい。
【００１８】
本体ユニット４０には、キーボード１２、マウス１３等の入力装置１１と、表示部２０（複数のディスプレイ２１、２２、２３）と、サーマルレコーダ等の記録装置３０と、が接続されている。また、本体ユニット４０には、インターフェースユニット５０が接続されている。本体ユニット４０は、ポリグラフ１００の中央処理ユニットとしての機能を有する。本体ユニット４０は、インターフェースユニット５０を介して入力した各生体情報に対してプログラムに従った演算処理や解析処理を施すことにより、各生体情報を所望の表示形態で表示部２０に表示する。また、本体ユニット４０は、入力装置１１から入力された操作信号に基づいて、各生体情報の表示形態や、インターフェースユニット５０及びＥＰＳユニット６０、並びにそれらに接続される各装置の動作を制御するようになっている。また、本体ユニット４０は、入力装置１１から入力された操作信号に基づいて、アンギオ装置９００で撮像される被検者のシネ画像の表示形態を制御できる。なお、シネ画像は、動画のように見える多数の連続画像であり、例えば、Ｘ線撮像された透視画像の連続画像とする。
【００１９】
また、本体ユニット４０は、ケーブルＬ３によって電気刺激装置７００に接続されている。本実施の形態では、本体ユニット４０は、入力装置１１から入力された操作信号に基づいて、電極カテーテルによる電気刺激動作を制御できるようになっている。この制御は、本体ユニット４０からケーブルＬ３を介して電気刺激装置７００に制御信号を送信して電気刺激装置７００を制御することで実現してもよく、或いは本体ユニット４０からＥＰＳユニット６０に制御信号を送信してＥＰＳユニット６０を制御することで実現してもよい。
【００２０】
インターフェースユニット５０は、ＥＣＧ（心電図）用入力端子、非観血血圧用入力端子、ＳｐＯ２用入力端子及び体温用入力端子などからなる生体情報入力端子群５１を有する。また、インターフェースユニット５０は、ＥＣＧ用出力端子５２及び観血血圧用出力端子５３を有する。また、インターフェースユニット５０は、専用キーボードを接続するための入力端子５４等を有する。
【００２１】
インターフェースユニット５０には、アンプが内蔵されており、生体情報入力端子群５１から入力された所定の信号はアンプによって増幅された後に本体ユニット４０に出力される。また、インターフェースユニット５０には、ケーブルＬ４によってアンギオ装置９００が接続されている。このインターフェースユニット５０を介して、アンギオ装置９００は、本体ユニット４０に接続された状態となっている。なお、アンギオ装置９００は、ケーブルを介して本体ユニット４０に直接接続する構成としてもよい。
【００２２】
ＥＰＳユニット６０は、電気刺激装置７００が接続される端子６１、アブレーター（図示せず）が接続される端子６２を有する。また、ＥＰＳユニット６０は、体表面心電図用入力端子６３を有し、この端子６３には、アンギオ装置で撮像される被検者の体表に装着された電極が接続される。これにより、心臓内の所定部位に電気刺激を与えたときの体表面心電図を得ることができる。本実施の形態の場合には、体表面心電図用入力端子６３には１２誘導心電図を得るための電極が接続される。
【００２３】
さらに、ＥＰＳユニット６０は、中継ボックス７０、７１が接続される端子６４、６５を有する。各中継ボックス７０、７１には、電極カテーテルに設けられた各電極に対応する端子を接続するための多数の端子９０が設けられている。
【００２４】
図２に示すように、心臓Ｈ内に挿入される電極カテーテル８０の各電極８１に対応する端子が中継ボックス７０（７１）の端子９０に接続される。電極カテーテル８０の各電極８１の中には、心内心電図測定用の電極及び電気刺激用の電極が含まれる。電気刺激用の電極のうちどの電極から何ボルトの電気刺激を出力するかの設定、その出力の開始及び出力の終了タイミングの設定は、電気刺激装置７００によって行われる。なお、その制御を、本体ユニット４０で電気刺激装置７００を制御することでポリグラフ１００側からも行うことができるようにしてもよい。
【００２５】
本実施の形態の場合には、１つの中継ボックス７０（７１、７２、７３）に双極で４０チャネル（つまり８０個の端子９０）が設けられている。ＥＰＳユニット６０は２つの中継ボックス７０、７１を接続できるようになっており、従ってＥＰＳユニット６０は８０（＝２×４０）チャネル分の心内心電図及び電気刺激信号を入出力可能とされている。
【００２６】
さらに、ＥＰＳユニット６０には、拡張用のＥＰＳユニット６００が接続可能とされている。拡張用ＥＰＳユニット６００も２つの中継ボックス７２、７３を接続できるようになっており、従ってＥＰＳユニット６０は拡張用ＥＰＳユニット６００を接続すれば、１６０（＝４×４０）チャネル分の心内心電図及び電気刺激信号を入出力することができる。
【００２７】
ＥＰＳユニット６０には、アンプが内蔵されており、中継ボックス７０、７１、７２、７３から入力された心内心電図はアンプによって増幅された後、インターフェースユニット５０を介して本体ユニット４０に送出される。また、端子６１から入力された電気刺激装置７００からの刺激信号は中継ボックス７０（７１、７２、７３）を介して電極カテーテル８０に出力され心臓へと与えられる。さらに、電極カテーテル８０から心臓へ与えられた刺激信号は、心内心電図と共に刺激波形として電極カテーテル８０によって取得され、ＥＰＳユニット６０のアンプによって増幅された後、インターフェースユニット５０を介して本体ユニット４０に送出される。また、ＥＰＳユニット６０は、ＥＣＧ用出力端子６６、スピーカ６７を有する。
【００２８】
アンギオ装置９００は、循環器疾患の診断及び治療法に用いられる周知の装置である（例えば、特許文献１或いは特開２０１３−８１５９４号公報参照）。アンギオ装置９００は、ポリグラフ１００に接続されており、検査対象となる部位等をＸ線透視像、血管造影像として撮像し、その画像をシネ画像として、自装置のモニタに表示するとともに、ポリグラフ１００に出力して、ポリグラフ１００の表示部２０に表示する。
【００２９】
フットスイッチ９５０は、アンギオ装置９００に接続され、アンギオ装置９００にシネ画像の記録のＯＮ／ＯＦＦ（便宜上、以下では、「シネ録画ＯＮ／ＯＦＦ」と称することもある）を指示する。シネ画像の記録のＯＮ／ＯＦＦの指示は、シネ録画ＯＮを示すシネ録画ＯＮ信号を出力／非出力することで行う。すなわち、フットスイッチ９５０は、シネ録画ＯＮ信号を出力することによりシネ録画ＯＮを指示し、シネ録画ＯＮ信号を出力しない或いは出力を停止（シネ録画信号非出力）することによりシネ録画ＯＦＦの指示をする。フットスイッチ９５０（図３参照）は、術者（アンギオ装置９００側の操作者）の操作によりシネ画像の録画のＯＮ／ＯＦＦの指示するものである。なお、シネ録画ＯＮ／ＯＦＦの指示を受けて録画されるシネ画像は、入力される録画信号のＯＮ／ＯＦＦの間隔で、静止画であったり、所定の録画長さの動画であったりすることになる。
【００３０】
また、フットスイッチ９５０では、フットスイッチ自体のアンギオ装置９００へのシネ録画ＯＮ／ＯＦＦの指示に連動して、連動指示装置である操作感知部９６０が、接続されたポリグラフ１００にシネ録画ＯＮ／ＯＦＦを指示する。
【００３１】
＜カテーテル検査システムの要部構成＞
図３は、本発明の実施の形態のカテーテル検査システムにおける要部構成を示すブロック図である。
【００３２】
アンギオ装置９００は、太ももや腕の太い血管からカテーテルを挿入し、Ｘ線で見ながら検査対象の血管位置まで送ったカテーテルの先端を介して造影剤を注入して撮像する。アンギオ装置９００は、造影剤注入前と注入後の画像を引き算することにより造影剤が注入された血管のみを鮮明に描出する機能（ＤＳＡ：Digital Subtraction Angiography）や、画像のボケのない鮮明な画像を描出する機能（ＤＡ：Digital Angiography）を備えてもよい。
【００３３】
アンギオ装置９００は、撮像部９１０と、表示部９３０と、アンギオ装置９００全体の制御を行う制御部とを有する。この制御部のうち、アンギオ装置９００は、特に、撮像表示制御部９２０と、シネ画像記録部９４０とを有する。
【００３４】
撮像部９１０は、被検者の所定部位のＸ線で透視画像を撮像して、撮像した信号を撮像表示制御部９２０に出力する。例えば、撮像部９１０では、被検体に対してＸ線を発生するＸ線発生部と、被検体を透過したＸ線を検出し、シネ画像を示すＸ線投影データを生成するＸ線検出部とがＣ型アームに支持されている。Ｃ型アームは、寝台上に寝かされた被検体の体軸方向に移動、或いは、被検体の体軸周りに回転でき、これにより、被検体を様々な方向からＸ線で撮像できる。
【００３５】
撮像表示制御部９２０は、撮像部９１０により撮像されたシネ画像をシネ画像として、表示部９３０に出力するとともに、ポリグラフ１００に出力する。すなわち、撮像表示制御部９２０は、撮像部９１０から入力されるＸ線投影データを、プログラムに従った演算処理や解析処理を施すことで、画像処理して、シネ画像（シネ画像信号）として表示部９３０及びポリグラフ１００に出力する。
【００３６】
表示部９３０は、表示部２０で用いられるディスプレイと同様のディスプレイであり、撮像部９１０で撮像したシネ画像を表示する。
【００３７】
シネ画像記録部９４０は、フットスイッチ９５０からの指示に応じて、表示部９３０に表示されるシネ画像を記録する。具体的には、シネ画像記録部９４０は、時系列で表示されるシネ画像の一部を、フットスイッチ９５０からのシネ録画ＯＮ／ＯＦＦの指示に対応して、つまり、術者の要望に応じて任意に記録する。
【００３８】
なお、シネ画像記録部９４０は、撮像表示制御部９２０から表示部９３０に時系列で出力されるシネ画像を、フットスイッチ９５０からの指示に応じて記録するようにしてもよい。
【００３９】
ポリグラフ１００の本体ユニット４０は、上述した中央処理ユニットとしての機能のうち、特に、表示制御部４２と、シネ画像記録制御部４４と、を有する。
【００４０】
表示制御部４２は、特に、インターフェースユニット５０を介して入力されるシネ画像信号に対してプログラムに従った演算処理や解析処理を施して、表示部２０にシネ画像を表示する。すなわち、表示制御部４２は、心内心電図などの生体情報を波形表示する表示部２０に、アンギオ装置９００から入力されるシネ画像を表示する。表示制御部４２により表示部２０に表示されるシネ画像は、アンギオ装置９００から入力されるシネ画像と同じ画像である。
【００４１】
これにより、ポリグラフ１００の表示部２０には、アンギオ装置９００の表示部９３０に表示されるシネ画像と同様のシネ画像が表示され、表示部２０は、表示部９３０に表示されるシネ画像と連動したシネ画像を表示する。
【００４２】
なお、アンギオ装置９００でポリグラフ１００（具体的には、本体ユニット４０）へのシネ画像の出力を停止すれば、表示部２０には、シネ画像は表示されない。
【００４３】
シネ画像記録制御部４４は、フットスイッチ９５０から出力されたシネ録画ＯＮ／ＯＦＦの指示を示すシネ録画ＯＮ／ＯＦＦを受けて、シネ録画ＯＮ信号の入力の有無に応じて、表示部２０に表示されるシネ画像を記録装置３０に記録或いは停止する。具体的には、シネ画像記録制御部４４は、フットスイッチ９５０に配置される操作感知部９６０からシネ画像ＯＮ信号が入力されると、この入力されるシネ画像ＯＮ信号に応じて表示部２０で表示するシネ画像を記録する。シネ画像記録制御部４４は、操作感知部９６０からシネ画像ＯＮ信号の入力がなければ、シネ画像の記録は行わない。シネ画像記録制御部４４は、シネ画像ＯＮ信号の入力が続いていれば、その期間、シネ画像の記録（シネ画像録画）を行い、シネ画像ＯＮ信号の入力が無くなれば、記録を停止する。
【００４４】
このようにシネ画像記録制御部４４は、例えば、ケーブルＬ５（無線でも良い）を介したフットスイッチ９５０からのシネ録画ＯＮ／ＯＦＦの指示に連動して、表示部２０に表示されるシネ画像を記録（キャプチャ）する、つまり、アンギオ装置９００で記録するシネ画像と同様のタイミングでシネ画像を記録する。
【００４５】
ここでは、シネ画像記録制御部４４は、シネ画像を、表示制御部４２により表示される生体情報（心内心電図）に対応させて記録する。
【００４６】
フットスイッチ９５０は術者の操作によって、アンギオ装置９００で撮像しているシネ画像（ここでは、表示部９３０、２０に表示しているシネ画像）を、アンギオ装置９００及びポリグラフ１００に記録させる。フットスイッチ９５０は、アンギオ装置９００とポリグラフ１００に接続されている。
【００４７】
フットスイッチ９５０は、術者の操作によって、シネ録画ＯＮ／ＯＦＦの指示を示す信号（具体的には、シネ録画ＯＮ信号）をアンギオ装置９００に出力する。これによりフットスイッチ９５０は、アンギオ装置９００に録画ＯＮの指示或いは録画ＯＦＦの指示（シネ録画ＯＮの未出力）を行うとともに、術者によるシネ画像の録画のＯＮ／ＯＦＦ指示の操作を感知して、ポリグラフ１００にも出力する。
【００４８】
フットスイッチ９５０において、アンギオ装置９００にシネ録画ＯＮ／ＯＦＦの指示を行う構成として、術者の手以外の操作、例えば、足でペダル或いはボタンを踏む操作により開閉するフットスイッチが使用される。本実施の形態のフットスイッチ９５０は、アンギオ装置９００にシネ録画ＯＮ／ＯＦＦの指示を行うために一般的に使用されるフットスイッチを用いて、ポリグラフ１００の本体ユニット４０にシネ録画ＯＮ／ＯＦＦ指示を行うようにしている。
【００４９】
＜フットスイッチの構成＞
図４は実施の形態のカテーテル検査システムにおけるフットスイッチの概略構成を示す模式図である。
【００５０】
フットスイッチ９５０は、アンギオ装置９００にシネ録画ＯＮ／ＯＦＦの指示を行う装置であり、ポリグラフ１００にシネ録画ＯＮ信号を出力する操作感知部９６０、を有する。
【００５１】
フットスイッチ９５０では、底板（スイッチ本体部）９５２の一端部に、底板９５２の上面側で、回動自在に取りつけたペダル９５３を踏むことによってスイッチ部９５４が開閉する。この開閉により、接続されたアンギオ装置９００にシネ録画ＯＮ／ＯＦＦ指示を行うシネ録画ＯＮ信号が出力される。なお、ペダル９５３への踏み込みを止めると、スプリングなどの付勢部材９５７により、ペダル９５３は踏み込み前の位置に付勢されて、シネ録画ＯＮ信号の出力が停止され、シネ録画ＯＦＦ信号が出力される。
【００５２】
操作感知部９６０は、ポリグラフ１００の本体ユニット４０のシネ画像記録制御部４４に接続され、ペダル９５３の踏み込みによりポリグラフ１００へシネ録画ＯＮ信号を出力するセンサである。操作感知部９６０は、例えば、押しボタンスイッチ等のメカスイッチであり、フットスイッチ９５０のスイッチ部（押しボタンスイッチ）９５４の開閉と同時に、スイッチ部９５４の開閉を検知する位置に取り付けられている。図４では、操作感知部９６０は、底板９５２とペダル９５３の間で、スイッチ部９５４と並べて配置し、ペダル９５３の踏み込みにより開閉するスイッチ部９５４と同時に開閉するようになっている。
【００５３】
この構成により、ペダル９５３の踏み込みによって、アンギオ装置９００へのシネ録画ＯＮ信号の送信に連動して、操作感知部９６０からポリグラフ１００の本体ユニット４０（具体的には図３に示すシネ画像記録制御部４４）にシネ録画ＯＮ信号が送信される。
【００５４】
図５は、実施の形態のカテーテル検査システムにおけるフットスイッチの変形例の概略構成を示す模式図である。
【００５５】
図５に示すフットスイッチ９５０Ａは、カテーテル検査システム１０において、フットスイッチ９５０に換えて用いられる。フットスイッチ９５０Ａは、ペダル９５３の踏み込み面上にフィルム型の操作感知部９６０Ａを配置することにより構成される。
【００５６】
操作感知部９６０Ａは、操作感知部９６０と同様の機能を有し、ポリグラフ１００の本体ユニット４０のシネ画像記録制御部４４に接続される。操作感知部９６０Ａは、ペダル９５３に足を乗せて荷重をかける動作（ペダル９５３を踏み込む操作）を感知して、シネ録画ＯＮ信号をシネ画像記録制御部４４に出力する。操作感知部９６０Ａは、例えば、導電インクで印刷した回路と絶縁体になるフィルムを重ね、回路接点部を接触させることで開閉するメンブレンスイッチ、或いは、圧電素子等を用いた周知のフィルム状のスイッチにより構成してもよい。フットスイッチ９５０Ａをフットスイッチ９５０に換えたカテーテル検査システム１０は、フットスイッチ９５０を備えるカテーテル検査システム１０と同様の作用効果を奏する。
【００５７】
このように検査システム１０は、アンギオ装置９００と、アンギオ装置９００へアンギオ装置９００で撮像するシネ画像の記録指示を行う操作感知部（連動指示装置、指示装置）９６０、９６０Ａとともに用いられるポリグラフ１００と、を有する。加えて、ポリグラフ１００は、アンギオ装置９００で撮像される被検者の複数の生体情報を入力して表示するとともに、アンギオ装置９００で撮像するシネ画像を入力して表示する。また、ポリグラフ１００は、操作感知部９６０、９６０Ａによるアンギオ装置９００へのシネ画像の記録指示と連動して、操作感知部９６０、９６０Ａから、アンギオ装置９００のシネ画像の記録指示を受けて、記録指示されたシネ画像を記録するシネ画像記録制御部（記録指示制御部）４４を有する。
【００５８】
本実施の形態の検査システム１０によれば、術者がフットスイッチ９５０、９５０Ａを操作、詳細には、フットスイッチ９５０、９５０Ａを足で踏んだり、踏むのを止めたりする操作により、アンギオ装置９００にシネ録画ＯＮ信号が出力されるとともに、ポリグラフ１００にシネ録画ＯＮ信号が出力される。シネ録画ＯＮ信号が入力されるアンギオ装置９００及びポリグラフ１００は、それぞれ表示部９３０、２０に表示されているシネ画像を、記録ＯＮ信号が入力されている間、記録する。なお、ＯＮ信号の入力が無ければ、録画ＯＦＦとなる。
【００５９】
すなわち、アンギオ装置９００へのシネ録画ＯＮ信号の出力に連動して、ポリグラフ１００へシネ録画ＯＮ信号が出力される。これにより、ポリグラフ１００は、術者がアンギオ装置９００に記録を指示するシネ画像と同様のシネ画像を、ポリグラフ１００側で記録できる。
【００６０】
このように、ポリグラフ１００は、術者によりフットスイッチ９５０、９５０Ａが操作されたら、ここではフットスイッチ９５０、９５０Ａのペダル９５３が踏まれると自動で、シネ画像を記録する。
【００６１】
これにより、被検者の生体情報（心内心電図）とともに、アンギオ装置９００で撮像したシネ画像を連続して表示していたポリグラフ１００側でも、術者が必要と判断してアンギオ装置９００で記録したシネ画像を記録することができる。
【００６２】
また、フットスイッチ９５０を、図４に示すように、底板９５２の一端部に回動自在に取りつけたペダル９５３を踏むことによって開閉するメカニカルなスイッチ部９５４を設け、このスイッチ部９５４により、ペダル９５３の押し具合を感知する構造であるため、簡易な構成で、シネ録画ＯＮ／ＯＦＦの判定の誤作動の可能性を低減できる。
【００６３】
また、フットスイッチ９５０、９５０Ａは、術者が手を使用せずに操作して、シネ画像記録のＯＮ／ＯＦＦを指示できる構成であれば、フットスイッチではなく、手以外の体の一部で操作するように構成された装置でもよい。例えば視線の変化を検知して、シネ画像記録のＯＮ／ＯＦＦを指示できるようにしてもよい。
さらに、操作感知部９６０、９６０Ａ及びポリグラフ１００を、シネ画像の記録のＯＮ／ＯＦＦを指示するフットスイッチとアンギオ装置９００とを有する既存のシステムに適用してもよい。
【００６４】
なお、アンギオ装置９００へのシネ録画ＯＮ／ＯＦＦの指示に連動したポリグラフ１００へのシネ録画ＯＮ信号の出力は、操作感知部９６０、９６０Ａを用いて行う構成としたが、操作感知部９６０、９６０Ａの機能をスイッチ部９５４に持たせてもよい。すなわち、スイッチ部９５４がアンギオ装置９００へ出力するシネ録画ＯＮ／ＯＦＦの指示（シネ録画ＯＮ信号出力／非出力）を、ポリグラフ１００にも同時に出力する構成とする。これにより、アンギオ装置９００とポリグラフ１００の双方へのシネ録画ＯＮ／ＯＦＦの指示を行うシネ録画ＯＮの制御信号）が同じになる。この構成によれば、アンギオ装置９００が撮像したシネ画像の記録を、アンギオ装置９００及びポリグラフ１００に対して一括で制御することができる。
【００６５】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【産業上の利用可能性】
【００６６】
本発明は、カテーテル検査等、心臓カテーテル治療等において用いられ、アンギオ装置とポリグラフと併用するシステムに適用し得る。
【符号の説明】
【００６７】
１０  カテーテル検査システム
２０、９３０  表示部
３０  記録装置
４０  本体ユニット
４２  表示制御部
４４  シネ画像記録制御部
４０  本体ユニット
５０  インターフェースユニット
６０  ＥＰＳ（Electrophysiology Study：電気生理検査）ユニット
７０、７１、７２、７３  中継ボックス
８０  電極カテーテル
１００  ポリグラフ
７００  電気刺激装置
９００  アンギオ装置
９１０  撮像部
９２０  撮像表示制御部
９４０  シネ画像記録部
９５０、９５０Ａ  フットスイッチ
９５２  底板
９５３  ペダル
９５４  スイッチ部
９５７  付勢部材
９６０、９６０Ａ  操作感知部（連動指示装置）
【図１】
0006486759.tif 000002
【図２】
0006486759.tif 000003
【図３】
0006486759.tif 000004
【図４】
0006486759.tif 000005
【図５】
0006486759.tif 000006